(57)【要約】      （修正有）【課題】トレーニングやランニング時に手首や足首に装着するためのトレーニング用具に関し、収納されているカバーからおもりを取り出すことを可能にし、カバーの洗濯を簡単にしたトレーニング用具を提供する。【解決手段】トレーニングやランニング時に手首や足首に装着するためのトレーニング用具であって、おもり収納カバー５とおもり４からなり、おもり収納カバー５には手首や足首に装着するための装着手段を具えるとともに、おもりを出し入れ可能な開口部２−ａが具備されていることを特徴とする。【選択図】図１
0003151268.tif 000002
【実用新案登録請求の範囲】
【請求項１】
トレーニングやランニング時に手首や足首に装着するためのトレーニング用具であって、おもり収納カバーとおもりからなり、おもり収納カバーには手首や足首に装着するための装着手段を具えるとともに、おもりを出し入れ可能な開口部が具備されていること特徴としたカバー開口部付きトレーニング用具。
【請求項２】
前記カバー開口部付きトレーニング用具において、開口部にジップファスナーが取り付けられ開閉が自由にできることを特徴とする請求項１に記載のカバー開口部付きトレーニング用具。
【請求項３】
前記カバー開口部付きトレーニング用具において、開口部にベルクロファスナーが取り付けられ開閉が自由にできることを特徴とする請求項１に記載のカバー開口部付きトレーニング用具。
【考案の詳細な説明】
【技術分野】
【０００１】  本考案は、手首や足首に装着するトレーニング用具に関し、おもりの入っているカバーに開口部を具備しおもりからカバーの着脱を可能にしたカバー開口部付きトレーニング用具に関するものである。
【技術背景】
【０００２】  一般的に手首や足首に装着するトレーニング用具は使用するにつれて、カバーの表面が汗や埃等で汚れてくる。従来の手首や足首に装着するトレーニング用具はおもりを収納しているカバーが着脱可能の物が無かったので、汚れたらそのまま破棄するか、中におもりが入っているので洗濯機に入れられず直接手洗いするしかなかった。
【０００３】  また、気軽に洗濯ができないので、汚れたまま利用したりし衛生上にも問題があった。
【０００４】  そしてまた、トレーニングが進むとさらに負荷をかけるために、より重い手首や足首に装着するトレーニング用具を装着するが、中のおもりが取り出せないため購入するしかなかった。
【考案の開示】
【考案が解決しようとする課題】
【０００５】  そこで本考案は、上記事情に鑑みてなされたものであり、カバーを簡単におもりから着脱できるようにし、利用後逐一、洗濯することが可能になり衛生面でも不快感が解消され、また、汚れたら破棄することもなく環境にも配慮したカバー開口部付きトレーニング用具を提供することを課題としている。
【課題を解決する為の手段】
【０００６】  このような課題を解決するために、本考案は、トレーニングやランニング時に手首や足首に装着するためのトレーニング用具であって、おもり収納カバーとおもりからなり、おもり収納カバーには手首や足首に装着するための装着手段を具えるとともに、おもりを出し入れ可能な開口部が具備されていること特徴としたカバー開口部付きトレーニング用具を提供する。
【０００７】  すなわち、本案件に係るカバー開口部付きトレーニング用具においては、カバー開口部から、収納しているおもりを簡単に出し入れできるように構成されている。
【０００８】  また、本考案は、前記カバー開口部付きトレーニング用具の開口部についてジップファスナーやベルクロファスナーを具備する構造とし、開閉を簡単にすることもできる。また、中のおもりが開口部から落下したりすることを有効に防止することが可能である。
【考案の効果】
【０００９】  本案件に係るカバー開口部付きトレーニング用具によれば汗や埃等で汚れたカバーが、開口部を設けることにより中に入っているおもりを簡単に取り出すことが可能となり、利用した都度、洗濯ができ衛生面などからの不快感も解消できる。
【００１０】  また、本案件に係るカバー開口部付きトレーニング用具によれば開口部を設けることにより中に入っているおもりを簡単に取り出すことが可能となり利用した都度、洗濯ができるので汚れにくくなり、トレーニング用具自体長持ちするため破棄することが少なくなり環境にも配慮した効果も奏する。
【００１１】  さらにまた、カバー自体を伸縮性のある素材を利用し、開口部のベルクロファスナーでおもりを固定できる構造にすれば、より負荷を掛けたいときにさらに重い別の手首や足首に装着するトレーニング用具を購入することなく、おもりの交換のみで対応できる。
【考案を実施する為の最良の形態】
【００１２】以下、本案件に係るカバー開口部付きトレーニング用具の実施形態について図面を参照しながら説明する。
【００１３】  ＜第一実施形態＞
図１及び図２は、本案件に係るカバー開口部付きトレーニング用具の一例を示しており、図１は正面図、図２は側面図、図３は実施態様図、図４は開口部が別側面になった正面図である。
【００１４】  このカバー開口部付きトレーニング用具は図１及び図２に示すようにおもり４を収納したおもり収納カバー５に開口部２−ａを具備させた構造となっている。
【００１５】  ここで、カバー開口部付きトレーニング用具は７手首・足首装着面を手首・足首に巻きつけるように装着し３−ａのベルクロファスナー結合上部を３−ｂのベルクロファスナー結合下部に結合させることにより手首・足首面に固定するように構成されている。
【００１６】  次に、本実施形態に係るカバー開口部付きトレーニング用具の使用例について説明する。
【００１７】  本実施形態に係るカバー開口部付きトレーニング用具は開口部２−ａに具備された開口部ジップファスナー２−ｂを開くことにより、カバー５に収納されたおもり４を取り出せることができる。おもり４を取り出せたカバー５はそのまま洗濯できる。
【００１８】  なお図４に示す通り、開口部は側面でおもりが取り出せればどこでもよく、一ヶ所とは限らない。
【００１９】  ＜第二実施形態＞
図５、図６は、本案件に係るカバー開口部付きトレーニング用具の一例を示しており図５は側面図、図６は実施態様図である。
【００２０】  このカバー開口部付きトレーニング用具は図５及び図６に示すようにおもり４を収納したおもり収納カバー５に開口部２−ａを具備させた構造となっている。
【００２１】  この、第二実施形態では開口部に第一形態では２−ｂ開口部ジップファスナーを利用していたが、２−ｂ開口部ジップファスナーの替わりに側面ベルクロファスナー上部６−ａ、側面ベルクロファスナー６−ｂを具備し、おもりの大きさも調整できるようにした構造である。
【００２２】  開口部をベルクロファスナーにすることによって、おもりの大きさを調整できるが、カバーをより伸縮性のある素材を利用し、さらにおもりの大きさを調整することもできる。
【００２３】  なお、開口部のベルクロファスナー以外の構造は上述した第一形態と同じである。
また、第一形態と同様、開口部は側面でおもりが取り出せればどこでもよく、一ヶ所とは限らない。
【図面の簡単な説明】
【００２４】
【図１】本考案に係るカバー開口部付きトレーニング用具の一例を示す正面図である。
【図２】本考案に係るカバー開口部付きトレーニング用具の一例を示す側面図である。
【図３】本考案に係るカバー開口部付きトレーニング用具の一例を示す実施態様図である。
【図４】本考案に係るカバー開口部付きトレーニング用具の一例を示す正面図である。
【図５】本考案に係るカバー開口部付きトレーニング用具の一例を示す側面図である。
【図６】本考案に係るカバー開口部付きトレーニング用具の一例を示す実施態様図である。
【符号の説明】１        カバー開口部付きトレーニング用具
２−ａ    開口部
２−ｂ    開口部ジップファスナー
３−ａ    ベルクロファスナー結合部分上部
３−ｂ    ベルクロファスナー結合部分下部
４        おもり（点線）
５        おもり収納カバー
６−ａ    側面ベルクロファスナー上部
６−ｂ    側面ベルクロファスナー上部
７        手首・足首装着面
【図１】
0003151268.tif 000003
【図２】
0003151268.tif 000004
【図３】
0003151268.tif 000005
【図４】
0003151268.tif 000006
【図５】
0003151268.tif 000007
【図６】
0003151268.tif 000008